(57)【要約】      （修正有）【課題】昇降操作が簡単で、昇降連動機構がシンプルである昇降テーブルを提供する。【解決手段】天板２と、支持脚５と、昇降制御手段６、ハンドル７とを備え、支持脚５は第１のフレーム５１と第２のフレーム５２とを有する。昇降制御手段６は中空状筒管６１とねじ棒と中空状筐体６３と駆動歯車、連動歯車及び従動歯車を含む複数の歯車とを有する。【選択図】図１
0003152635.tif 000002
【実用新案登録請求の範囲】
【請求項１】
天板と、前記天板を裏面側から支持するように昇降制御手段を介して前記天板の裏面に連結された支持脚と、前記天板の上部より下部へ貫通して前記昇降制御手段と回転可能に連結されるハンドルとを備え、
前記支持脚は、
前記天板の裏面に固定されて前記天板と共に上下移動可能に設けられた第１のフレームと、
前記第１のフレームが相対的に移動可能に挿入され前記第１のフレームと共に前記天板を支持する第２のフレームとを有し、
前記昇降制御手段は、
前記第２のフレーム内に連結されるように挿入され、内周面にめねじが形成された中空状筒管と、
前記筒管に対して上下移動可能に前記筒管内に螺合されるねじ棒と、
前記天板と前記第１のフレームとの間に取り付けられる中空状筐体と、
前記筐体内に設けられ、少なくとも前記ハンドルと連結され前記ハンドルの回転操作により回転される駆動歯車と、該駆動歯車の回転に連動されるように該駆動歯車と噛み合う連動歯車と、前記ねじ棒と連結され、該連動歯車の回転に連動されるように該連動歯車と噛み合う従動歯車とがある複数の歯車と、を有することを特徴とする昇降テーブル。
【請求項２】
天板と、前記天板を裏面側から支持するように昇降制御手段を介して前記天板の裏面に連結された支持脚と、前記天板の上部より下部へ貫通して前記昇降制御手段を回転可能に連結されるハンドルとを備え、
前記支持脚は、前記天板の左右両側にそれぞれ設けられ、それぞれは、
前記天板の裏面に固定されて前記天板と共に上下移動可能に設けられた第１のフレームと、
前記第１のフレームが相対的に移動可能に挿入され前記第１のフレームと共に前記天板を支持する第２のフレームと、を有し、
前記昇降制御手段は、前記支持脚に対応して２つ設けられ、それぞれは、
前記第２のフレーム内に連結されるように挿入され、内周面にめねじが形成された中空状筒管と、
前記筒管に対して上下移動可能に前記筒管内に螺合されるねじ棒と、
前記天板と前記第１のフレームとの間に取り付けられる中空状筐体と、
前記筐体内に設けられ、少なくとも前記ハンドルと連結され前記ハンドルの回転操作により回転される駆動歯車と、該駆動歯車の回転に連動されるように該駆動歯車と噛み合う連動歯車と、前記ねじ棒と連結され、該連動歯車の回転に連動されるように該連動歯車と噛み合う従動歯車とがある複数の歯車と、を有することを特徴とする昇降テーブル。
【請求項３】
前記天板の裏面に、前記支持脚と連結され、前記昇降制御手段を取り付けるためのブラケット部材が設けられることを特徴とする請求項１又は２に記載の昇降テーブル。
【請求項４】
前記第１のフレームは、前記天板の下部の前側と後側に設けられる２本の移動パイプがあり、
前記第２のフレームは、前記２本の移動パイプが対応して挿入される立てパイプがあり、前記２本の立てパイプの間にブレースにより連結され、
前記ハンドル及び前記昇降制御手段は、前記２本の移動パイプにおける一方の移動パイプと前記２本の立てパイプにおける一方の立てパイプに互いに対応して設けられることを特徴とする請求項１〜３のいずれかの１項に記載の昇降テーブル。
【請求項５】
前記歯車は、中央部に外側に開放される角穴が形成され、前記歯車の前記筐体内側の周囲に円錐状に歯が形成された傘歯車であり、
前記ハンドルは、前記筐体を貫通して前記駆動歯車の角穴に嵌入される角軸が設けられ、
前記ねじ棒は、前記筐体を貫通して前記従動歯車の角穴に嵌入される角軸が設けられることを特徴とする請求項１〜４のいずれかの１項に記載の昇降テーブル。
【請求項６】
前記２つの支持脚における一方の支持脚における連動歯車及び他方の支持脚における連動歯車との間は、角棒により互いに対応する前記角穴に挿入されて連結されることを特徴とする請求項５に記載の昇降テーブル。
【請求項７】
前記２つのブラケット部材の対向する内側面に、前記角棒を挿通するように前記連動歯車の角穴と同軸に定位孔が形成されることを特徴とする請求項６に記載の昇降テーブル。
【請求項８】
前記天板は、前記ハンドルの角軸が前記上部から前記裏面側に通って前記駆動歯車の角穴に挿入されるための貫通孔が形成され、
前記筐体の前記歯車に対応する壁部に前記歯車が定位する通孔が形成され、
前記歯車の角穴が形成された中央部が前記通孔の外側に突き出ることを特徴とする請求項１又は２に記載の昇降テーブル。
【請求項９】
中央孔付きカバーにより、前記歯車の突き出た中央部が嵌入され前記通孔を塞ぐことを特徴とする請求項８に記載の昇降テーブル。
【請求項１０】
前記歯車の中央部の突出端の外周に環溝が形成され、Ｃの字形をした係止部材により前記環溝に嵌入されて前記歯車が前記カバーの中央孔の外側に定位されることを特徴とする請求項９に記載の昇降テーブル。
【考案の詳細な説明】
【技術分野】
【０００１】
本考案は、天板が床面に対して昇降する昇降テーブルに関する。
【背景技術】
【０００２】
従来の昇降式テーブルとしては、例えば図９に示すように、ベース９１と支柱９２を有する支持脚９０と、支持脚９０により上方に支持する天板９５と、天板９５と支持脚９０の間にロッド９５１，９５１を介して連結された中空状長筒９６とを備えたテーブル９が知られている。長筒９６内部に支持軸９６１を介して両側に左、右ねじのねじ棒９６２，９６２が取り付けられ、長筒９６の一端に支持軸９６１と同軸回転可能に連結されるハンドル９７が取り付けられている。
【０００３】
長筒９６の外周面には、それぞれ両端に向かって長手に延びる滑り溝９６５，９６５が設けられ、支持脚９０の支柱９２と長筒９６の間に可動アーム９３，９３が設けられ、可動アーム９３，９３の一端が支柱９２上部の周面に設けられた互いに噛合って回転可能な歯状回転部材９４，９４と連結され、他端が軸９６４，９６４を介して対応するねじ棒９６２，９６２と嵌合され滑り溝９６５，９６５内に滑り移動可能な送りナットでなるスライダー９６３と連結されている。ハンドル９７を回すと、長筒９６内の支持軸９６１が回転され、スライダー９６３，９６３が互いに離れたり近寄ることにより、アーム９３，９３が外側又は内側に回動し、天板９５が床面に対して下がったり上がったりすることができる。
【考案の概要】
【考案が解決しようとする課題】
【０００４】
上記昇降テーブルは、ハンドル９７を回すと、簡単に天板９５を昇降させることができるが、回転部材９４、軸９６４、可動アーム９３、スライダー９６３等による昇降連動構造が複雑である。また、ハンドル９７は天板９５の下方に設けられているため、腰を屈めたり、うずくまったりして操作しなければならず操作が面倒である。なお、この昇降テーブル９のハンドルが天板からはみ出すと、壁面等にぴったりとくっついて配置するのが困難になり、またテーブル９のハンドル９７が取り付けられた傍を通ったとき、ハンドル９７に引っ掛けられたりする恐れがある。
【０００５】
本考案は、上記問題点に鑑みてなされたものであり、昇降操作が簡単で、昇降連動機構がシンプルである昇降テーブルを提供することを目的とする。
【課題を解決するための手段】
【０００６】
上記目的を達成するために、本考案の昇降テーブルは、天板と、前記天板を裏面側から支持するように昇降制御手段を介して前記天板の裏面に連結された支持脚と、前記天板の上部より下部へ貫通して前記昇降制御手段と回転可能に連結されるハンドルとをそなえ、前記支持脚は、前記天板の裏面に固定されて前記天板と共に上下移動可能に設けられた第１のフレームと、前記第１のフレームが相対的に移動可能に挿入されて前記第１のフレームと共に前記天板を支持する第２のフレームとを有し、前記昇降制御手段は、前記第２のフレーム内に連結されるように挿入され、内周面にめねじが形成された中空状筒管と、前記筒管に対して上下移動可能に前記筒管内に螺合されるねじ棒と、前記天板と前記第１のフレームとの間に取り付けられる中空状筐体と、前記筐体内に設けられ、少なくとも前記ハンドルと連結され前記ハンドルの回転操作により回転される駆動歯車と、該駆動歯車の回転に連動されるように噛み合う連動歯車と、前記ねじ棒と連結され、該連動歯車の回転に連動されるように噛み合う従動歯車とがある複数の歯車とを有することを特徴とする昇降テーブルを提供する。
【０００７】
また、本考案は、天板と、前記天板を裏面側から支持するように昇降制御手段を介して前記天板の裏面に連結された支持脚と、前記天板の上部より下部へ貫通して前記昇降制御手段を回転可能に連結されるハンドルとをそなえ、前記支持脚は、前記天板の左右両側にそれぞれ設けられ、それぞれは、前記天板の裏面に固定されて前記天板と共に上下移動可能に設けられた第１のフレームと、前記第１のフレームが相対的に移動可能に挿入されて前記第１のフレームと共に前記天板を支持する第２のフレームとを有し、前記昇降制御手段は、前記支持脚に対応して２つ設けられ、それぞれは、前記第２のフレーム内に連結されるように挿入され、内周面にめねじが形成された中空状筒管と、前記筒管に対して上下移動可能に前記筒管内に螺合されるねじ棒と、前記天板と前記第１のフレームとの間に取り付けられる中空状筐体と、前記筐体内に設けられ、少なくとも前記ハンドルと連結され前記ハンドルの回転操作により回転される駆動歯車と、該駆動歯車の回転に連動されるように噛み合う連動歯車と、前記ねじ棒と連結され、該連動歯車の回転に連動されるように噛み合う従動歯車とがある複数の歯車とを有することを特徴とする昇降テーブルをも提供する。
【０００８】
上記昇降テーブルにおいては、前記天板の裏面に、前記支持脚と連結され、前記昇降制御手段を取り付けるためのブラケット部材が設けられることが好ましい。
【０００９】
上記昇降テーブルにおいては、前記第１のフレームは、前記天板の下部の前側と後側に設けられる２本の移動パイプがあり、前記第２のフレームは、前記２本の移動パイプが対応して挿入される立てパイプがあり、前記２本の立てパイプの間にブレースにより連結され、前記ハンドル及び前記昇降制御手段は、前記２本の移動パイプにおける一方の移動パイプと前記２本の立てパイプにおける一方の立てパイプに互いに対応して設けられることが好ましい。
【００１０】
上記昇降テーブルにおいては、前記歯車は、中央部に外側に開放される角穴が形成され、前記歯車の前記筐体内側の周囲に円錐状に歯が形成された傘歯車であり、前記ハンドルは、前記筐体を貫通して前記駆動歯車の角穴に嵌入される角軸が設けられ、前記ねじ棒は、前記筐体を貫通して前記従動歯車の角穴に嵌入される角軸が設けられることが好ましい。
【００１１】
上記昇降テーブルにおいては、前記２つの支持脚における一方の支持脚における連動歯車及び他方の支持脚における連動歯車との間は、角棒により互いに対応する前記角穴に挿入されて連結されることが好ましい。
【００１２】
上記昇降テーブルにおいては、前記２つのブラケット部材の対向する内側面に、前記角棒を挿通するように前記連動歯車の角穴と同軸に定位孔が形成されることが好ましい。
【００１３】
上記昇降テーブルにおいては、前記天板は、前記ハンドルの角軸が前記上部から前記裏面側に通って前記駆動歯車の角穴に挿入されるための貫通孔が形成され、前記筐体の前記歯車に対応する壁部に前記歯車が定位する通孔が形成され、前記歯車の角穴が形成された中央部が前記通孔の外側に突き出ることが好ましい。
【００１４】
上記昇降テーブルにおいては、中央孔付きカバーにより、前記歯車の突き出た中央部が嵌入され前記通孔を塞ぐことが好ましい。
【００１５】
上記昇降テーブルにおいては、前記歯車の中央部の突出端の外周に環溝が形成され、Ｃの字形をした係止部材により前記環溝に嵌入され、前記歯車が前記カバーの中央孔の外側に定位されることが好ましい。
【考案の効果】
【００１６】
本考案の昇降テーブルによれば、歯車機構により昇降制御する構成をコンパクトにすることができ、連動昇降機構もシンプルにすることができる。また、天板の上部からハンドルを回転操作することができるので、操作便利性を向上させることができる。
【図面の簡単な説明】
【００１７】
【図１】本考案の昇降テーブルの一実施形態を示す側面図である。
【図２】本考案の実施形態におけるハンドルと天板の図示を省略して示す分解側面図である。
【図３】本考案の実施形態における昇降制御手段を示す分解斜視図である。
【図４】図３の一部が組み立てられた分解斜視図である。
【図５】図２の組立平面図である。
【図６】図１の正面図である。
【図７】図６の主要部分を拡大して示す部分断面図である。
【図８】図１において天板が上昇する動作を説明する側面図である。
【図９】昇降テーブルの従来例を示す図である。
【考案を実施するための形態】
【００１８】
本考案の他の特徴及び利点は、添付図面を参照しながら、以下の好適な実施例の詳細な説明により明らかとなる。
図１〜図７は、本考案の昇降テーブルの一実施形態を示す図である。図示の如く、本考案の好ましい一実施形態にかかる昇降テーブル１は、天板２と、天板２を裏面側から支持するように昇降制御手段６を介して天板２の裏面２ｂに連結された支持脚５と、天板２の上部より下部へ貫通して昇降制御手段６と回転可能に連結されるハンドル７とを備えている。ここで、本実施形態では、説明の便宜上、ハンドル７の配置側を前側とし、その逆側を後側とする。
【００１９】
支持脚５は、例えば床面に対して水平状態をなるように天板２の裏面２ｂに固定されて支持し、天板２と共に上下移動可能に設けられた第１のフレーム５１と、第１のフレーム５１が相対的に移動可能に挿入され第１のフレーム５１と共に天板２を支持する第２のフレーム５２とを有する。
【００２０】
更に図示のように、天板２としては、例えば左右方向を長辺とする長方形状のものである場合、２つの支持脚５，５は、天板２の左右両側にそれぞれ設けられ、それぞれにある第１のフレーム５１は、天板２の裏面２ｂの前側、後側に設けられる２本の移動パイプ５１１，５１２、第２のフレーム５２は、２本の移動パイプ５１１，５１２が対応して挿入される立てパイプ５２３，５２４を有し、２本の立てパイプ５２３，５２４の間にブレース５２２により連結されている。なお、本考案の昇降テーブルにおいては、天板２の形状や構造、大きさが上記の例に限定されるものではなく、長方形や正方形などにも適用され、天板２の形状や大きさに応じて、支持脚５及び昇降制御手段６の個数を変更可能である。天板２の大きさに応じて支持脚５が単柱形態である場合、移動パイプ５１１及び立てパイプ５２３のみを用いればよい。
【００２１】
昇降制御手段６は、支持脚５における２本の移動パイプ５１１，５１２における一方の移動パイプ５１１と対応する立てパイプ５２３とハンドル７に同軸に設けられている。第２のフレーム５２の立てパイプ５２３内に連結されるように挿入され、内周面にめねじ６１１が形成された中空状筒管６１と、筒管６１に対して嵌合可能に上下移動するように筒管６１内に螺合されるおねじ６２１付きねじ棒６２と、天板２と第１のフレーム５１との間に取り付けられる中空状筐体６３とからなっている。
【００２２】
筐体６３の中空部６３３に隣り合わせた同士と互いに噛合わせて複数の歯車６４が設けられており、具体的にハンドル７と連結されハンドル７の回転操作により回転される駆動歯車６４Ａと、該駆動歯車６４Ａの回転に連動されるように噛み合う連動歯車６４Ｂと、ねじ棒６２と連結され、該連動歯車６４Ｂの回転に連動されるように噛み合う従動歯車６４Ｃとを備えている。
【００２３】
天板２の裏面２ｂに、天板２の支持強度を強めるように、ハンドル７及び支持脚５に連結され、昇降制御手段６を取り付けるためのブラケット部材３が設けられている。図５に示すように、ブラケット部材３に昇降制御手段６を所定に定位させるように、リブ３１，３２により昇降制御手段６における筐体６３を挟持して昇降制御手段６が設けられている。
【００２４】
また、この実施形態において、それぞれの歯車６４としては、中央部６４２に外側に開放される角穴６４３が形成され、筐体６３の中空部６３３側の周囲に円錐状に歯６４１が形成された傘歯車を用いる。
ねじ棒６２は、外周面に筒管６１内のめねじ６１１と嵌合可能に形成されたねじ６２１を有し、天板２側の端部に筐体６３を貫通して従動歯車６４Ｃの角穴６４３に嵌入される角軸６２２が設けられている。
ハンドル７は、クランク状ハンドルを用い、下端に天板２及び筐体６３を貫通して駆動歯車６４Ａの角穴６４３に嵌入される角軸７１が設けられている。
【００２５】
図５、図６に示すように、２つの支持脚５，５における一方の支持脚５における連動歯車６４Ｂ及び他方の支持脚５における連動歯車６４Ｂとの間は、長い角棒６５により互いに対応する角穴６４３同士に挿入されて連結される。このようにすると、一方の支持脚５の連動歯車６４Ｂが回動すると、他方の支持脚５の連動歯車６４Ｂも回動することができ、一方の移動パイプ５１１が軸棒６２の伸縮により連動して伸縮し角棒６５により連結されている他方の移動パイプ５１１も昇降することができるので、昇降連動機構がシンプルに済むことができる。
【００２６】
図６に示すように２つのブラケット部材３，３の対向するリブ３１，３１に、角棒６５を通過させるように連動歯車６４Ｂの角穴６４３と同軸に定位孔３３，３３が形成されている。
【００２７】
天板２は、ハンドル７の角軸７１が上部から裏面側に通って駆動歯車６４Ａの角穴６４３に挿入されるための貫通孔２１が形成されている。なお、テーブル１の配置設計により、天板２の左右両側の昇降制御手段６，６に応じて左右両側に取り付け可能に、天板２の上面２ａに２つの貫通孔２１，２１を形成してハンドル７を取り付けてもよい。
【００２８】
図３に示すように、各歯車６４が回転可能に定位されるように筐体６３の各歯車６４に対応する各壁部６３２に複数の通孔６３４，６３４，・・・が形成されている。各歯車６４の角穴６４３が形成された中央部６４２が対応する通孔６３４の外側に突き出るように構成される。
【００２９】
また、本実施形態では、筐体６３の各壁部６３２に、駆動歯車６４Ａに対応する中央孔６３８付正方形状のカバー６３６、及び連動歯車６４Ｂと従動歯車６４Ｃとに対応する中央孔６３７付円形状のカバー６３５により、各対応する歯車６４の突き出た中央部６４２が通孔６３４に嵌合され、対応する通孔６３４を塞ぐように設けられる。
【００３０】
各歯車６４の中央部６４２の突出端の外周に環溝６４４が形成され、例えばスナップリングであるＣの字形をした係止部材６６により環溝６４４に嵌入され、歯車６４が対応するカバー６３５，６３６の中央孔６３７，６３８の外側に定位されると、各歯車６４は、軸方向に所定に定位されて軸方向の前後へ移動せずに安定に軸方向の周りに回動することができる。
【００３１】
本実施の形態の昇降テーブル１は、左右方向の両側に設けられた立てパイプ５２３，５２４の下方に前後方向に延びるベース５２１を設けることにより、テーブルの転倒を防止し天板を安定に支持することができる。また、ベース５２１の両端の下部に高度の微調整やテーブルの移動をすることができるようにアジャスター４，４やキャスタを備えることができる。なお、支持脚５は上記の構成例に限らず、例えばベースやアジャスターを省略して、立てパイプ５２３，５２４を直接床面に接触させるようにしてもよい。
【００３２】
次に、本実施の形態の昇降テーブルの天板昇降操作を図７〜図８を参照して説明する。
ハンドル７の角軸７１を天板２の貫通孔２１に挿入して、角軸７１が昇降制御手段６の筐体６３内に取り付けられた駆動歯車６４Ａの角穴６４３に嵌合され、クランクハンドル７を回すと、角穴６４３に嵌合されている角軸７１を介して駆動歯車６４Ａが回転され、この駆動歯車６４Ａと噛合っている連動歯車６４Ｂが回動される。連動歯車６４Ｂの回動により角棒６５を介して他方の支持脚５の連動歯車６４Ｂを連動して同期に回転させると同時に、連動歯車６４Ｂと噛み合っている従動歯車６４Ｃが回動する。
【００３３】
従動歯車６４Ｃの回動と一体にねじ棒６２が回転する。ねじ棒６２は筒管６１に対して伸縮移動すると、第１のフレーム５１の移動パイプ５１１，５１２が第２のフレーム５２の立てパイプ５２３，５２４に対して伸縮することになり、天板２は床面に対して昇降することができる。そして、天板２が適当な高度になると、ハンドル７を取り外し、収納することができ、テーブルの使用自由度を高めることができる。
【００３４】
この昇降テーブル１によれば、昇降制御手段６をコンパクトに構成することができ、ハンドル７、昇降制御手段６及び支持脚５による連動昇降機構もシンプルな構成にすることができる。また、天板２の上部からハンドル７を回転操作することができるので、操作便利性を向上させることができる。
【符号の説明】
【００３５】
１  昇降テーブル、２  天板、２１  貫通孔、２ａ  上面、２ｂ  裏面、３  ブラケット部材、３１，３２  リブ、３３  定位孔、４  アジャスター、５  支持脚、５１  第１のフレーム、５１１，５１２  移動パイプ、５２  第２のフレーム、５２１  ベース、５２２  ブレース、５２３，５２４  立てパイプ、６  昇降制御手段、６１  筒管、６１１  めねじ、６２  ねじ棒、６２１  ねじ、６２２  角軸、６３  筐体、６３２  壁部、６３３  中空部、６３４  通孔、６３５，６３６  カバー、６３７，６３８  中央孔、６４（６４Ａ，６４Ｂ，６４Ｃ）  歯車、６４１  歯、６４２  中央部、６４３  角穴、６４４  環溝、６５  角棒、６６  係止部材、７  ハンドル、７１  角軸。
【図１】
0003152635.tif 000003
【図２】
0003152635.tif 000004
【図３】
0003152635.tif 000005
【図４】
0003152635.tif 000006
【図５】
0003152635.tif 000007
【図６】
0003152635.tif 000008
【図７】
0003152635.tif 000009
【図８】
0003152635.tif 000010
【図９】
0003152635.tif 000011